(57)【特許請求の範囲】
【請求項１】
液体香料を展着させた多孔質粉末を主成分とし、
上記液体香料は、トイレ臭の原因となる複数の悪臭主成分の沸点を複数段階にレベル分けしたときにそれぞれの悪臭主成分が属するレベルと実質的に等しいレベルである複数の芳香成分を、上記悪臭主成分の存在割合と実質的に同じ存在割合で配合したものであり、
上記多孔質粉末が水分をほとんど吸収せずに油だけを吸収して水面に浮遊することができるパーライトであり、
水洗トイレ等の水が溜まったトイレにおいて用便前の上記溜まった水に粉末のまま投入し、表面張力作用で多孔質粉末を水面に広げることにより消臭を行うものであることを特徴とするトイレ用消臭剤。
【請求項２】
上記液体香料にさらに消臭成分が配合されている請求項１記載のトイレ用消臭剤。
【発明の詳細な説明】
【０００１】
【発明の属する技術分野】
本発明は、主として水洗トイレ等で使用するトイレ用消臭剤に関するものである。
【０００２】
【従来の技術】
従来から、トイレ用の消臭剤としては、金木犀等の香りがする芳香剤が広く用いられている。
【０００３】
【発明が解決しようとする課題】
しかしながら、上記芳香剤は、用便による悪臭を便器からもれ出るのを防止することはできない。また、上記芳香剤は、強い芳香によるマスキング効果を利用したものであるため、用便による悪臭を多少ごまかすことはできても、消臭効果まで発揮するものではない。
【０００４】
本発明は、このような事情に鑑みなされたもので、用便による悪臭を効果的に消臭できるトイレ用消臭剤の提供を目的とする。
【０００５】
【課題を解決するための手段】
上記の目的を達成するため、本発明のトイレ用消臭剤は、液体香料を展着させた多孔質粉末を主成分とし、
上記液体香料は、トイレ臭の原因となる複数の悪臭主成分の沸点を複数段階にレベル分けしたときにそれぞれの悪臭主成分が属するレベルと実質的に等しいレベルである複数の芳香成分を、上記悪臭主成分の存在割合と実質的に同じ存在割合で配合したものであり、
上記多孔質粉末が水分をほとんど吸収せずに油だけを吸収して水面に浮遊することができるパーライトであり、
水洗トイレ等の水が溜まったトイレにおいて用便前の上記溜まった水に粉末のまま投入し、表面張力作用で多孔質粉末を水面に広げることにより消臭を行うものであることを要旨とする。
【０００６】
すなわち、本発明のトイレ用消臭剤は、液体香料を展着させた多孔質粉末を主成分とするため、例えば、水洗トイレ等の水が溜まったトイレにおいて、用便前の上記溜まった水に投入することにより、多孔質粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分による効果により効果的な消臭効果が得られる。また、上記液体香料が、トイレ臭の原因となる複数の悪臭主成分それぞれの悪臭主成分が属するレベルと実質的に等しいレベルである複数の芳香成分を、上記悪臭主成分の存在割合と実質的に同じ存在割合で配合したものであることから、悪臭をごまかすのではなく、２成分以上からなる混合液体の蒸留において、液体の組成と発生した蒸気の組成とが同じになる現象を、悪臭成分と芳香成分の組み合わせで生じさせることにより、効果的な消臭の効果を発揮することから、悪臭を効果的に消臭することができる。さらに、上記多孔質粉末が水分をほとんど吸収せずに油だけを吸収して水面に浮遊することができるパーライトであるため、水をほとんど吸収せずに油だけを吸収するため、香料が十分展着されるうえ、水面に長時間浮遊して消臭効果を発揮する。また、人畜無害で焼却しても油しか燃えず、有害ガスが発生しない。しかも、水洗トイレ等の水が溜まったトイレにおいて、用便前の上記溜まった水に粉末のまま投入して使用するものであるため、粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分による効果により効果的な消臭効果が得られる。
【００１０】
本発明のトイレ用消臭剤において、上記液体香料にさらに消臭成分が配合されている場合には、さらに優れた消臭効果を奏する。
【００１２】
【発明の実施の形態】
つぎに、本発明の実施の形態を詳しく説明する。
【００１３】
本発明のトイレ用消臭剤は、液体香料を展着させた多孔質粉末を主成分とする。
【００１４】
上記多孔質粉末としては、特に限定するものではなく、各種のものが用いられる。例えば、パーライト，黒曜石パーライト，シラス，シラスバルーン，軽石，バーミキュライト，多孔質ガラス，多孔質シリコン，ゼオライト，活性炭等の多孔質物質や、グラファイト，窒化ホウ素，カオリン，雲母等の層状物質をあげることができる。
【００１５】
これらのなかでも、入手しやすく価格的にも有利であるうえ、白色度が高くて使用した際の美観に優れるパーライト等の多孔質セラミックを好適に用いることができる。
【００１６】
上記パーライトとしては、特に限定するものではなく、各種のものを用いることができる。好適には、親油性を有するものが好ましく、例えば、三井金属工業社製吸油用１号等を用いることができる。このようなパーライトでは、水をほとんど吸収せずに油だけを吸収するため、香料が十分展着されるうえ、水面に長時間浮遊して消臭効果を発揮する。また、人畜無害で焼却しても油しか燃えず、有害ガスが発生しない。上記パーライトは、比重が０．０５５ｋｇ／リットル程度のものが好適に用いられる。
【００１７】
また、上記多孔質粉末の粒度としては、２．５ｍｍ以下が好ましく、１．２ｍｍ以下であればなお好ましい。上記粒度が２．５ｍｍを超えると、水面での浮遊滞留時間が短くなって消臭効果が低下する傾向にあるからである。なお、上記粒度が例えば０．１５ｍｍ以下等あまりに小さくなりすぎると、飛散しやすくなってかえって消臭効果が低下してしまう。
【００１８】
上記多孔質粉末に展着させる液体香料としては、特に限定するものではなく、各種のものを用いることができる。たとえば、代表的な単離香料のテルペン系化合物であるゲラニオール，リナロール，シトラール，シトロネロール，ネラール，ネラロール，ｄ−リモネン，ｌ−リモネン，テルピノーレン，α−ピネン，β−ピネンや、その他の単離香料である酢酸メチル，酢酸アミル，フェニルエチルアルコール，酢酸ベンジン等の合成香料をあげることができる。また、天然香料として、オレンジ油，レモン油，ベルガモット油，ローズ油，レモングラス油，ジャスミン，スズラン等の植物性香料や、麝香，竜涎香，霊猫香，海狸香等の動物性香料をあげることができる。
【００１９】
これらのなかでも、特に、香りが穏やかでかえって不快感を与えることが少なく、生分解性にも優れた天然香料を好ましく用いることができる。
【００２０】
上記液体香料は、悪臭成分の沸点を複数段階にレベル分けしたときにそれぞれの悪臭主成分が属するレベルと実質的に等しいレベルである複数の芳香成分を、上記悪臭主成分の存在割合と実質的に同じ存在割合で配合したものであることが好ましい。すなわち、悪臭成分と芳香成分の存在割合が互いに近接していれば、極めて効果的な消臭効果を発揮するからである。
【００２１】
ここで、２成分以上からなる混合液体の蒸留において、液体の組成と発生した蒸気の組成とが同じになり、この成分の組み合わせが悪臭成分と芳香成分の組み合わせであれば、効果的な消臭の効果を発揮するのである。
【００２２】
一例として、香り成分の沸点レベル（香り成分の沸点を複数段階にレベル分けしたときにそれぞれの主成分が属するレベル）をつぎの４段階に設定した例で説明する。
【００２３】
【表１】
0004469097.tif 000002
【００２４】
ここで、トイレ臭の原因となる悪臭成分は、主としてつぎのような組成であり、沸点レベル１のアンモニアが重量割合で２、沸点レベル２の第１分解物が重量割合で０．５、沸点レベル３の第２分解物が重量割合で１、沸点レベル４の第３分解物が重量割合で１となっている。
【００２５】
【表２】
0004469097.tif 000003
【００２６】
したがって、本発明のトイレ用消臭剤に用いる液体香料としては、つぎのような組成とし、沸点レベル１の柑橘を重量割合で２、沸点レベル２のローズやジャスミンを重量割合で０．５、沸点レベル３のスズランを重量割合で１、沸点レベル４の麝香や竜涎香を重量割合で１、それぞれ少なくとも含むものを用いることにより、効果的に消臭することができるのである。
【００２７】
【表３】
0004469097.tif 000004
【００２８】
なお、液体香料に含まれる各沸点レベルの芳香成分は、少なくとも上記の重量割合であればよく、上記重量割合を超える芳香成分を含む場合には、消臭だけでなく芳香効果を発揮する。また、上述した芳香成分はあくまで例示であり、各沸点レベルの芳香成分を上述したような重量割合で含むものであれば、同様の作用効果を奏する。
【００２９】
上記液体香料には、必要に応じて消臭成分を配合することもできる。上記消臭成分としては、例えば、マスキング剤であるナフタレン，ｐ−ジクロロベンゼン，ｏ−クロロフェノール，ショウノウ，ショウノウ油，レモン油や、化学消臭剤であるクメンヒドロペルオキシド，アセタールペルオキシド，β−エトキシプロピオンアルデヒド，グルタルアルデヒド等をあげることができる。
【００３０】
上記トイレ用消臭剤は、水洗トイレ等の水が溜まったトイレにおいて、用便前の上記溜まった水に投入して使用することができる。このようにすることにより、粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分により効果的な消臭効果が得られる。
【００３１】
上記トイレ用消臭剤は、さらにセラミック粉末を含むことによりかさ比重を上げることが好ましい。このようにすることにより、便器内に振りかける際の周囲への粉末の舞い散りが少なくなるとともに、容器への充填等の際の作業性も格段に向上する。
【００３２】
上記セラミック粉末としては、特に限定するものではなく、各種のものを用いることができる。例えば、炭酸カルシウム，炭酸マグネシウム等の各種炭酸塩をはじめ、アルミナ，酸化クロム，酸化チタン等の各種酸化物、窒化ホウ素，窒化アルミニウム等の各種窒化物、炭化珪素，炭化チタン等の各種炭化物等をあげることができる。
【００３３】
これらのなかでも、特に、空気中の水分によって適度に凝集して舞い散りや容器への充填性等がより向上するとともに、白色度が高く、使用時の美観に優れることから、炭酸カルシウムや炭酸マグネシウムを好適に用いることができる。
【００３４】
上記セラミック粉末の粒度としては、２．５ｍｍ以下が好ましく、１．２ｍｍ以下であればなお好ましい。上記粒度が２．５ｍｍを超えると、水面での浮遊滞留時間が短くなって消臭効果が低下する傾向にあるからである。なお、上記粒度が例えば０．１５ｍｍ以下等あまりに小さくなりすぎると、飛散しやすくなってかえって消臭効果が低下してしまう。
【００３５】
上記セラミック粉末に対する多孔質粉末の配合比は、おおむね重量比で４０〜８０程度が好ましく、５０〜７０であればなお好ましい。上記配合比が４０未満では、軽量になりすぎて適量の散布が行いにくく、反対に８０を超えると芳香成分まで沈降してしまい、消臭効果が低下するからである。
【００３６】
上記トイレ用消臭剤は、必要に応じて、多孔質粉末やセラミック粉末を顆粒状に形成することもできる。このようにすることにより、便器内に振りかける際の舞い散りが少なくなるとともに、容器への充填等の際の作業性も格段に向上する。また、必要に応じて、多孔質粉末やセラミック粉末を打錠成形することもできる。このようにすることにより、取扱いが容易になるとともに、１回の使用量が一定して安定した消臭効果を得やすくなる。さらに、必要に応じて染料や顔料を添加して着色することもできる。
【００３７】
上記トイレ用消臭剤は、例えば、つぎのようにしてつくることができる。すなわち、まず、ミキサーに多孔質粉末と液体香料を投入して所定時間ミキシングして液体香料を多孔質粉末に展着させる。ついで、所定の配合比率でセラミック粉末を投入してミキシングを行うことにより、本発明のトイレ用消臭剤が得られる。
【００３８】
上記トイレ用消臭剤によれば、水洗トイレ等の水が溜まったトイレにおいて、用便前の上記溜まった水に投入することにより、多孔質粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分により効果的な消臭効果が得られる。
【００３９】
【発明の効果】
以上のように、本発明のトイレ用消臭剤によれば、液体香料を展着させた多孔質粉末を主成分とするため、例えば、水洗トイレ等の水が溜まったトイレにおいて、用便前の上記溜まった水に投入することにより、多孔質粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分による効果により効果的な消臭効果が得られる。また、上記液体香料が、トイレ臭の原因となる複数の悪臭主成分それぞれの悪臭主成分が属するレベルと実質的に等しいレベルである複数の芳香成分を、上記悪臭主成分の存在割合と実質的に同じ存在割合で配合したものであることから、悪臭をごまかすのではなく、２成分以上からなる混合液体の蒸留において、液体の組成と発生した蒸気の組成とが同じになる現象を、悪臭成分と芳香成分の組み合わせで生じさせることにより、効果的な消臭の効果を発揮することから、悪臭を効果的に消臭することができる。さらに、上記多孔質粉末が水分をほとんど吸収せずに油だけを吸収して水面に浮遊することができるパーライトであるため、水をほとんど吸収せずに油だけを吸収するため、香料が十分展着されるうえ、水面に長時間浮遊して消臭効果を発揮する。また、人畜無害で焼却しても油しか燃えず、有害ガスが発生しない。しかも、水洗トイレ等の水が溜まったトイレにおいて、用便前の上記溜まった水に粉末のまま投入して使用するものであるため、粉末が水面に浮かんで広がり、汚物が水中に侵入したあとも表面張力作用で侵入口を塞ぐことから、用便による悪臭を便器からもれ出るのを防止でき、水面に浮遊した多孔質粉末から発生する芳香成分による効果により効果的な消臭効果が得られる。